(57)【要約】【課題】内部に揮散性物質を収納し、吊り下げて使用する場合の他に載置しての使用に於いても収納物の効果を有効に発揮でき、また、必要のない場合には吊下部位を不都合に突出させずに収納しておくことができて、運搬，保管時には嵩張らない吊下式容器を提案する。【解決手段】容器本体２前面開口ａを被覆し且つ前記開口対応位置に揮散用の窓孔17を備えた蓋体３を嵌着した起立可能な容器であって、上端部より折り曲げ可能にフック４を立設するとともに、フック４を折り曲げた状態で係止する係止手段Ａを設けた。【選択図】図２
2005239254.tif 000002
【特許請求の範囲】
【請求項１】
容器本体２の前面開口ａを被覆し且つ前記開口対応位置に揮散用の窓孔17を備えた蓋体３を嵌着した起立可能な容器であって、上端部より折り曲げ可能にフック４を立設するとともに、該フック４を折り曲げた状態で係止する係止手段Ａを設けてなることを特徴とする吊下式容器。
【請求項２】
前記容器本体２は、前記開口ａ周縁より外方へ突設したフランジ５の下端縁と、前記開口ａ下端縁より後方へ下る底壁６の後端縁とで起立可能に構成し、前記蓋体３は、前記フランジ５外周に周縁部を嵌着し、前記容器本体２と蓋体３とで全体として起立可能に構成してなる請求項１記載の吊下式容器。
【請求項３】
前記フック４が、前記容器本体２又は前記蓋体３のいずれか一方の上端部に第１ヒンジ20を介して連結することにより前記折り曲げを可能に構成し、前記係止手段Ａが、前記フック４裏面に突設した係合突起21を前記フランジ５裏面に突設した挟持突起22に挟持させてなる請求項１記載の吊下式容器。
【請求項４】
前記フック４が、前記容器本体２または前記蓋体３のいずれか一方の上端部に第１ヒンジ20を介して連結することにより前記折り曲げを可能に構成するとともに、先端部を容器本体裏面に折り曲げる第２ヒンジ23を備え、上記係止手段Ａが、折り曲げた状態のフック４の内周面を容器本体２裏面に突設した係止突部30に嵌合してなる請求項１記載の吊下式容器。
【請求項５】
前記フック４が、前記容器本体２又は蓋体３のいずれか一方の上端部に回動可能に枢着されるとともに、先端部を前記容器本体２裏面に折り曲げる第２ヒンジ23を備え、上記係止手段Ａが、折り曲げた状態のフック４の内周面を前記容器本体２裏面に突設した係止突部30の外周に嵌合してなる請求項１記載の吊下式容器。
【請求項６】
前記容器本体２，蓋体３及びフック４をシート成形により形成してなる請求項３又は請求項４のいずれかに記載の吊下式容器。
【発明の詳細な説明】
【技術分野】
【０００１】
本発明は吊下式容器に関し、詳しくは、内部に芳香剤，防虫剤等の揮散性物質を収納するための吊下式容器に関する。
【背景技術】
【０００２】
箪笥等の収納具内に、そのハンガーロッドにフックを引っかけて吊り下げる防虫用の吊下式容器が知られている。（例えば、特許文献１参照）
【０００３】
この吊下式容器は、ヒンジを介して開閉可能に形成した扁平直方体形状のケース本体の上端にフック状のハンガーを立設して構成しており、ケース本体内に防虫剤等の揮散性剤を収納し、ケース本体に形成した窓孔より揮散させる如く構成している。
【特許文献１】特開平１１−１３００８１号公報
【発明の開示】
【発明が解決しようとする課題】
【０００４】
従来のこの種の吊下式容器は、例えばハンガーをハンガーロッドに引っ掛けるという簡単な操作でロッドに吊り下げることができ、また、交換の際はハンガーの係合を解除すれば簡単に取り外すことができるため、取り扱いが極めて容易であるという利点を有するものである。
【０００５】
しかしながら、ハンガーロッドなどの吊り下げるためのロッド形態のものが必要であり、使用範囲が限定される。また、ハンガーがケース本体上に一体に突設しているため、それだけ余分な空間を必要として嵩張り、運搬，保管等の際にはその効率が悪く、極端な場合にはコストにも影響する。
【０００６】
本発明は上記した点に鑑みてなされたもので、従来品の様に吊り下げて使用することは勿論，載置しての使用においても収納物の効果を有効に発揮でき、また、必要のない場合には吊り下げ部位を不都合に突出させずに収納しておくことができて、運搬，保管時には嵩張らず、また、載置しての使用の場合には余分な突出部として引っ掛けて倒される等の不都合を極力回避できる等の種々の効果を発揮する吊下式容器を提案するものである。
【課題を解決するための手段】
【０００７】
本請求項１発明は上記課題を解決するため、容器本体２の前面開口ａを被覆し且つ前記開口対応位置に揮散用の窓孔17を備えた蓋体３を嵌着した起立可能な容器であって、上端部より折り曲げ可能にフック４を立設するとともに、該フック４を折り曲げた状態で係止する係止手段Ａを設けてなることを特徴とする吊下式容器として構成した。
【０００８】
本請求項２発明は、前記容器本体２は、前記開口ａ周縁より外方へ突設したフランジ５の下端縁と、前記開口ａ下端縁より後方へ下る底壁６の後端縁とで起立可能に構成し、前記蓋体３は、前記フランジ５外周に周縁部を嵌着し、前記容器本体２と蓋体３とで全体として起立可能に構成してなる請求項１記載の吊下式容器として構成した。
【０００９】
本請求項３発明は、前記フック４が、前記容器本体２又は前記蓋体３のいずれか一方の上端部に第１ヒンジ20を介して連結することにより前記折り曲げを可能に構成し、前記係止手段Ａが、前記フック４裏面に突設した係合突起21を前記フランジ５裏面に突設した挟持突起22に挟持させてなる請求項１記載の吊下式容器として構成した。
【００１０】
本請求項４発明は、前記フック４が、前記容器本体２または前記蓋体３のいずれか一方の上端部に第１ヒンジ20を介して連結することにより前記折り曲げを可能に構成するとともに、先端部を容器本体裏面に折り曲げる第２ヒンジ23を備え、上記係止手段Ａが、折り曲げた状態のフック４の内周面を容器本体２裏面に突設した係止突部30に嵌合してなる請求項１記載の吊下式容器として構成した。
【００１１】
本請求項５発明は、前記フック４が、前記容器本体２又は蓋体３のいずれか一方の上端部に回動可能に枢着されるとともに、先端部を前記容器本体２裏面に折り曲げる第２ヒンジ23を備え、上記係止手段Ａが、折り曲げた状態のフック４の内周面を前記容器本体２裏面に突設した係止突部30の外周に嵌合してなる請求項１記載の吊下式容器として構成した。
【００１２】
本請求項６発明は、前記容器本体２，蓋体３及びフック４をシート成形により形成してなる請求項４又は請求項５のいずれかに記載の吊下式容器として構成した。
【発明の効果】
【００１３】
本発明の吊下式容器は、フック４による吊り下げと、安定した載置とを必要に応じて選択でき、様々な種類の揮散性収納物に対応できて極めて汎用性に富み、また、載置しての使用の際にはフック４を突出しない状態で維持させておくことができるため、フック４を引っ掛けて容器を倒す等の不都合を防止できるとともに、使用前の運搬，保管等の際には嵩張らず能率良く行える利点がある。また、後方へ下る底壁を備えており、収納した揮散剤の露出しない部分が最後まで後部コーナー部に残り、最後まで安定した載置が可能となる。
【００１４】
また、係止手段Ａがフック４裏面に突設した係合突起21をフランジ５裏面に突設した挟持突起22に挟持させる如く構成したものにあっては、フック４を回動させるのみで係止させることができ、また、回動係止状態から引き起こすだけで元の状態に戻るため、その操作が容易である。
【００１５】
また、フック４がその基端部を折り曲げるための第１ヒンジ20を介して連結することにより折り曲げを可能に構成するとともに、先端部を容器本体裏面に折り曲げる第２ヒンジ23を備え、係止手段Ａが、折り曲げた状態のフック４内周面を容器本体２裏面に突設した係止突部30外周に嵌合してなるものにあっては、フック４を折り曲げ係止した状態で全く突出せず、上記した利点を更に発揮できるものである。
【発明を実施するための最良の形態】
【００１６】
以下、本発明の実施例の形態を図面を参照して説明する。
【００１７】
図１は本発明吊下式容器の一実施形態を示す斜視図、図２は縦断面図、図３は分解斜視図である。吊下式容器１は、容器本体２と、蓋体３と、フック４とを備えている。
【００１８】
容器本体２は、箱型をなし、起立可能に構成したもので、前面に設けた開口ａ周縁より外方へ突設したフランジ５の下端縁と、前記開口ａ下端縁より後方へ下る底壁６の後端縁とで起立可能に支持したもので、より安定な状態を維持するためには、少なくとも前面を、上部が後方に位置する傾斜面に形成すると良い。図示例では、前記した如く開口ａの底縁より底壁６を、また、両側縁より一対の側壁７，７を、上端縁より頂壁８を、それぞれ後方へ延設し、各底壁６，両側壁７，７，頂壁８の後端縁を周縁部とする後壁９を設けている。前記頂壁８は、フック４を折り曲げた際にその先端が突出しない様な充分な奥行きを有している。
【００１９】
容器本体２内の収納部には防虫剤，芳香剤等の揮散性物質を収納する。揮散性物質収納後に開口ａをシール材11によりシールする。シール材11は周縁部をフランジ５表面に剥離可能に固着して開口ａを閉塞し、開封前の揮散性物質の揮散を防止する如く構成している。シール材11は通気性のない材質で形成され、例えば、ガスバリアー性の合成樹脂、或いは合成樹脂と金属薄膜層との積層体等より形成されたものが使用でき、粘着剤等により剥離可能に固着している。また、シール材11のコーナーには取り外す際に摘むための突片12を一体に形成している。
【００２０】
蓋体３は、前記開口ａを被覆する蓋板15の周縁部より延設した嵌合筒部16をフランジ５外周に嵌着して容器本体２に装着したもので、蓋板15には収納物を揮散する揮散用の窓孔17を開口している。蓋板15は周縁部を残して中央部が前方へ膨出した形態を採り、シール材11との間に空隙ができる如く構成している。蓋体３の嵌着に際しては、嵌合筒部16内周に突設した係合突条18をフランジ５裏面に乗り越え係合させてより安定した嵌着状態を維持している。
【００２１】
フック４は、蓋体３の上端部より折り曲げ可能に立設している。具体的には、前記嵌合筒部16の上部後端縁に基端部を折り曲げるための第１ヒンジ20を介して一体に連結しており、このフック４をハンガーロッド等に引っ掛けて吊り下げ可能に構成している。尚、このフックは容器本体２の上端部より折り曲げ可能に立設しても良い。
【００２２】
本発明では、また、フック４を折り曲げた状態で係止する係止手段Ａを設けている。この場合の係止手段Ａは、フック４裏面に突設した係合突起21を容器本体２のフランジ５裏面に突設した挟持突起22に挟持させる如く構成している。図４(a) に示す如きフック４の起立状態から、図４(b) に示す如くフック４を折り曲げてその係合突起21を挟持突起22の溝22a に嵌合させる如く構成している。上記容器本体２及び蓋体３とフック４及びシール材11はそれぞれ公知のシート成形により形成することができる。また、上記係合手段Ａの挟持突起22を図５に示す如く蓋体３に一体に設けることも可能である。
【００２３】
図６は容器本体２の奥行きが狭く、フック４を折り曲げた状態でその先端が容器本体２後方へ突出してしまうような場合に対応させた実施形態であり、第１ヒンジ20の上方に所定間隔をあけて第２ヒンジ23を設けている。この第２ヒンジ23はフック４の先端部を容器本体２裏面に折り曲げるためのもので、従って、第１ヒンジ23との間隔は容器本体２の頂壁の幅と同程度で容器本体２の後面への折り曲げが可能な間隔とすると良い。図示例では、容器本体１の後壁９上端部に折り曲げた第２ヒンジ23より先端部分が嵌合する嵌合凹部24を設けている。尚、この嵌合凹部はなくても良い。
【００２４】
図７乃至図９は他の実施形態を示すもので、この場合はフック４を容器本体２と一体に形成している。具体的には、その上端部である上部のフランジ５上縁に第１ヒンジ20を介して一体に連結している。また、第１ヒンジ20上方に所定間隔をあけて第２ヒンジ23を備えている。この第２ヒンジ23はフック４の先端部を容器本体２裏面に折り曲げるためのもので、従って、第１ヒンジ20と第２ヒンジ23との間隔は容器本体２の頂壁８の幅と同程度に設けると良い。
【００２５】
また、本実施形態に於ける係止手段Ａとして、前記第１ヒンジ20及び第２ヒンジ23に於いて折り曲げたフック４の内周面に嵌合する係止突部30を容器本体２裏面に突設している。具体的には、容器本体２の後壁９上端部にフック４の先端部が嵌合する凹部31を凹設し、その中央部にフック４の内周面に嵌合する係止突部30を突設している。従って、フック４を折り曲げた際には図６に示す如く、その先端部は凹部31内に収納され、殆ど全く突出部分が存在しない。尚、蓋体３の嵌合筒部16上部には起立したフックを挿通させるための切欠部32を設けている。その他の構成は図１の実施形態と同様である。この場合も上記容器本体２とフック４及び蓋体３及びシール材11はそれぞれ公知のシート成形により形成することができる。
【００２６】
また、図10乃至図12は更に他の実施形態を示すもので、この場合にはフック４を別体に形成した例を示す。この場合には容器本体２の幅広に形成した上部のフランジ５部分に軸受33を形成している。該軸受33はフランジ５中央部を後方へ略横円柱状に凹ませた軸受凹部を形成し、該軸受凹部の中央部分に上端より帯状の切欠を形成して構成している。また、フック４は、軸受凹部内に回動可能に嵌合させた軸34の両端を各軸受33に強制的に嵌合させ、この軸34より上方へ立設している。フック４の中間部所定位置には上記実施形態と同様の第２ヒンジ23を設けており、容器本体２の裏面には同様に凹部31及び係止突部30を設けている。そして、同様にフック４を折り曲げた係止できる如く構成している。その他の構成は図５の実施形態と同様である。この場合も上記容器本体２及び蓋体３及びフック４及びシール材11はそれぞれ公知のシート成形により形成することができる。
【図面の簡単な説明】
【００２７】
【図１】本発明吊下式容器の斜視図である。（実施例１）
【図２】本発明吊下式容器の断面図である。（実施例１）
【図３】本発明吊下式容器の分解斜視図である。（実施例１）
【図４】本発明吊下式容器の作用を説明する説明図である。（実施例１）
【図５】本発明吊下式容器の要部斜視図である。（実施例２）
【図６】本発明吊下式容器の要部斜視図である。（実施例３）
【図７】本発明吊下式容器の分解斜視図である。（実施例４）
【図８】本発明吊下式容器の要部断面図である。（実施例４）
【図９】本発明吊下式容器の要部斜視図である。（実施例４）
【図１０】本発明吊下式容器の分解斜視図である。（実施例５）
【図１１】本発明吊下式容器の要部断面図である。（実施例５）
【図１２】本発明吊下式容器の要部斜視図である。（実施例５）
【符号の説明】
【００２８】
２…容器本体、３…蓋体，４…フック，５…フランジ，17…窓孔，20…第１ヒンジ，    21…係合突起，22…挟持突起，23…第２ヒンジ，30…係止突部，Ａ…係止手段，
ａ…開口
【図１】
2005239254.tif 000003
【図２】
2005239254.tif 000004
【図３】
2005239254.tif 000005
【図４】
2005239254.tif 000006
【図５】
2005239254.tif 000007
【図６】
2005239254.tif 000008
【図７】
2005239254.tif 000009
【図８】
2005239254.tif 000010
【図９】
2005239254.tif 000011
【図１０】
2005239254.tif 000012
【図１１】
2005239254.tif 000013
【図１２】
2005239254.tif 000014